(57)【特許請求の範囲】
【請求項１】
カメラに装着された交換レンズを介して被写体像を撮像して画像信号を出力する撮像素子と、
前記被写体像の焦点状態を検出する焦点検出手段と、
前記焦点検出手段による焦点状態の検出結果に応じて、前記装着された交換レンズ内のアクチュエータを駆動する駆動手段と、
前記交換レンズの特徴を示す交換レンズ情報を取得する情報取得手段と、
前記画像信号を動画として取得する動画取得手段と、
前記動画の取得時における音声を取得する録音手段と、
前記取得された動画および音声の記録指示をする記録指示手段と、
前記交換レンズ情報に基づいて、前記記録指示手段による動画の記録中に、前記駆動手段および前記録音手段の少なくとも一方の動作を禁止する禁止手段と、を備え、
前記禁止手段は、前記記録指示手段による記録指示が行われるまでは、前記駆動手段および前記録音手段の動作を禁止しないことを特徴とするカメラ。
【請求項２】
請求項１に記載のカメラにおいて、
前記交換レンズは前記被写体像の振れを補正する振れ補正光学系を有し、
前記駆動手段は、前記禁止手段により動作が禁止されている場合には、前記振れ補正光学系を中央位置に保持するように前記交換レンズ内のアクチュエータを駆動することを特徴とするカメラ。
【発明の詳細な説明】
【技術分野】
【０００１】
本発明は、動画撮影可能な交換レンズを装着できるカメラに関する。
【背景技術】
【０００２】
従来から、静止画および動画撮影可能なカメラにおいて、静止画と動画の撮影に応じて交換レンズのアクチュエータ駆動制御を変更し、アクチュエータの駆動音が動画撮影時に録音されることを防いだものが知られている（たとえば特許文献１）。
【特許文献１】特開２００７−６３０５号公報
【発明の開示】
【発明が解決しようとする課題】
【０００３】
しかしながら、交換レンズが動画撮影に対応していない場合は、動画撮影時にアクチュエータの駆動音がノイズとして録音されるという問題がある。
【課題を解決するための手段】
【０００４】
請求項１に記載のカメラは、カメラに装着された交換レンズを介して被写体像を撮像して画像信号を出力する撮像素子と、前記被写体像の焦点状態を検出する焦点検出手段と、前記焦点検出手段による焦点状態の検出結果に応じて、前記装着された交換レンズ内のアクチュエータを駆動する駆動手段と、前記交換レンズの特徴を示す交換レンズ情報を取得する情報取得手段と、前記画像信号を動画として取得する動画取得手段と、前記動画の取得時における音声を取得する録音手段と、前記取得された動画および音声の記録指示をする記録指示手段と、前記交換レンズ情報に基づいて、前記記録指示手段による動画の記録中に、前記駆動手段および前記録音手段の少なくとも一方の動作を禁止する禁止手段と、を備え、前記禁止手段は、前記記録指示手段による記録指示が行われるまでは、前記駆動手段および前記録音手段の動作を禁止しないことを特徴とする。
請求項２に記載のカメラは、請求項１に記載のカメラにおいて、前記交換レンズは前記被写体像の振れを補正する振れ補正光学系を有し、前記駆動手段は、前記禁止手段により動作が禁止されている場合には、前記振れ補正光学系を中央位置に保持するように前記交換レンズ内のアクチュエータを駆動することを特徴とする。
【発明の効果】
【０００５】
本発明によれば、交換レンズ情報に基づいて、駆動手段および録音手段の少なくとも一方の動作を禁止して、動画取得時に騒音が録音されることを防ぐことができる。
【発明を実施するための最良の形態】
【０００６】
−第１の実施の形態−
図１〜図６を参照して、本発明による第１の実施の形態におけるカメラを説明する。図１はカメラ１００の要部構成を示す図である。カメラ１００のボディ１０には、レンズマウント１０１を介して、撮影レンズＬ１、絞り２０１ａを駆動する絞りユニット２０１、ブレ補正光学系２０２ａを備えるブレ補正ユニット２０２、および焦点調節光学系２０３ａを駆動するフォーカスモータ２０３を備える交換レンズ２００が着脱可能に装着されている。カメラ１００のボディ側には、プリズム１０２、シャッタ１０３、光学フィルタ１０４、撮像素子１０５、測光ユニット１０６、測距ユニット１０７、接眼光学系１０８、電子ビューファインダ１０９、表示器１１０、内蔵マイク１１１およびミラー１１２が設けられている。
【０００７】
図２はカメラ１００および交換レンズ２００の制御系のブロック図である。図２において、図１に示した構成要素には同一の符号を付して説明する。カメラ１００の制御系は、撮像素子１０５、測光ユニット１０６、測距ユニット１０７、カメラ制御回路１１３、内部メモリ１１４、ＲＯＭ１１５、ＬＣＤ駆動回路１１６、表示器１１０、カードインタフェース１１７、メモリカード１１８、モータ制御部１１９、フォーカスモータ１２０、動画／静止画選択スイッチ１２１、半押しスイッチ１２２、全押しスイッチ１２３、外部マイク端子１２４、およびレンズマウント１０１に設けられた接点であるレンズ通信部１２５を備えている。
【０００８】
交換レンズ２００の制御系は、絞りユニット２０１、ブレ補正ユニット２０２、フォーカスモータ２０３、レンズ制御回路２０４、およびレンズデータ記憶部２０５を備える。
【０００９】
図１を参照して説明すると、交換レンズ２００を通過してカメラ１００に入射した被写体光は、プリズム１０２を通過して撮像素子１０５の方向へ導かれる。被写体光の一部はプリズム１０２にて下方に反射され、ミラー１１２により分岐されて測光ユニット１０６および測距ユニット１０７へ導かれる。測光ユニット１０６は、撮像面上に結像されている被写体像を撮像し、被写体像の明るさに応じた光電変換信号を測光信号としてカメラ制御回路１１３へ出力する。測距ユニット１０７は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。ＣＣＤラインセンサから出力される焦点検出信号はカメラ制御回路１１３に入力される。
【００１０】
レリーズ後は、被写体光がシャッタ１０３を介して撮像素子１０５へ導かれ、その撮像面上に被写体像が結像する。撮像素子１０５は、受光した被写体光をその強度に応じた画像信号に変換するＣＣＤやＣＭＯＳなどの光電変換素子である。
【００１１】
図２を参照してカメラ１００の制御系について詳細に説明する。
撮像素子１０５は、カメラ制御回路１１３が出力するタイミング信号に応じて、画像信号を出力する。カメラ制御回路１１３は、図示しないＣＰＵ、ＲＡＭ等の各種の周辺回路を備え、カメラ１００の各構成要素を制御したり、各種のデータ処理を実行する演算回路である。カメラ制御回路１１３は、撮像素子１０５の出力する画像信号にアナログ的な処理を施してからデジタルの画像データに変換する。
【００１２】
カメラ制御回路１１３は、前述の測光ユニット１０６から出力された測光信号に基づいて被写体の輝度を算出し、被写体の輝度と撮像感度（ＩＳＯ）に基づいてシャッタ速度と絞り値を演算する。カメラ制御回路１１３は、算出された絞り値に基づいて、交換レンズ２００の絞り２０１ａの駆動を指示する駆動制御信号を交換レンズ２００へ出力する。さらに、カメラ制御回路１１３は、前述した測距ユニット１０７から出力された焦点検出信号に基づいて、デフォーカス量などの焦点調節状態の演算を行う。カメラ制御回路１１３は、焦点調節状態の演算結果に基づいて、交換レンズ２００の焦点調節光学系２０３ａの駆動量と駆動指示を示す駆動制御信号を、モータ制御部１１９もしくは交換レンズ２００へ出力する。
【００１３】
カメラ制御回路１１３は、画像処理部１１３ａおよび画像圧縮部１１３ｂを備える。画像処理部１１３ａは、画像データに対して、ホワイトバランス処理、ガンマ補正処理、色補間処理、輪郭強調、ビネット補正などの画像処理を実行する。画像圧縮部１１３ｂは、画像処理部１１４ａで画像処理の施された本画像データに対してＪＰＥＧ圧縮処理を実行する回路である。
【００１４】
モータ制御部１１９は、駆動制御信号を入力すると、フォーカスモータ１２０を駆動させる。フォーカスモータ１２０は、機械的に結合された交換レンズ２００内の焦点調節光学系２０３ａを、光軸方向に移動させる。フォーカスモータ１２０は、たとえば超音波モータであり、駆動系としてベルトドライブを採用して、後述する動画撮影時における駆動雑音の発生を抑制し、静寂性を高めている。なお、フォーカスモータ２０３が設けられていない交換レンズ２００が装着された場合に、カメラ制御回路１１３は、モータ制御部１１９に対して駆動制御信号を出力してフォーカスモータ１２０を駆動させる。
【００１５】
内部メモリ１１４は、画像処理、画像圧縮処理および表示データ作成処理の途中や処理後のデータを一時的に格納するために使用される揮発性メモリである。ＲＯＭ１１５には、カメラ制御回路１１３が各種制御を行うためのプログラムなどが格納される。メモリカードインタフェース１１７は、メモリカード１１８が着脱可能なインタフェースである。メモリカードインタフェース１１７は、カメラ制御回路１１３の制御に基づいて、内部メモリ１１４に一時的に格納された画像データをメモリカード１１８に書き込んだり、メモリカード１１８に記録されている画像データを読み出す。メモリカード１１８はコンパクトフラッシュ（登録商標）やＳＤカードなどの半導体メモリカードである。
【００１６】
ＬＣＤ駆動回路１１６は、カメラ制御回路１１３の命令に基づいて表示器１１０を駆動する回路である。表示器１１０はたとえば液晶表示パネルであり、画像再生時において、内蔵メモリ１１４もしくはメモリカード１１８に記録されている画像データに基づいてカメラ制御回路１１３で作成された表示データの表示を行う。
【００１７】
動画／静止画選択スイッチ１２１は、ユーザによる動画撮影と静止画撮影との間での切替操作に応じて、動画撮影を指示する信号、もしくは静止画撮影を指示する信号をカメラ制御回路１１３へ出力する。ユーザによるレリーズボタンの押下操作に連動してオン／オフする半押しスイッチ１２２および全押しスイッチ１２３は、それぞれオン信号もしくはオフ信号をカメラ制御回路１１３へ出力する。
【００１８】
内蔵マイク１１１は、動画撮影時に音声を取得し、デジタル変換した音声データをカメラ制御回路１１３へ出力する。外部マイク端子１２４は、動画撮影時に外付けマイク用いて音声の取得をする場合に、外付けマイクを接続するためのコネクタである。外付けマイクの接続を検出すると、外部マイク端子１２４は接続信号をカメラ制御回路１１３に出力する。
【００１９】
レンズ通信部１２５は、レンズマウント１０１に装着された交換レンズ２００と各種情報の送受信をするためのインタフェースである。カメラ制御回路１１３は、レンズ通信部１２５を介して、交換レンズ２００のレンズＩＤやレンズ固有のデータ等のレンズ情報を受信する。さらにカメラ制御回路１１３は、レンズ通信部１２５を介して、ブレ補正ユニット２０２やフォーカスモータ２０３等のアクチュエータの駆動量および動作指示する駆動制御信号、もしくはアクチュエータの動作禁止を指示する駆動禁止信号を送信する。上述した各種の信号は、たとえばシリアル通信により行われる。
【００２０】
次に、交換レンズ２００の制御系について説明する。
レンズ制御回路２０４は、レンズ通信部１２５を介して、カメラ制御回路１１３からの各種の駆動制御信号を受信して、受信した駆動制御信号に基づいて交換レンズ２００内の各部の動作を制御する。また、レンズ制御回路２０４は、レンズデータ記憶部２０５に記憶されたレンズ情報を読み出して、カメラ１００へ送信する。
【００２１】
絞りユニット２０１は、絞り２０１ａ、絞り制御部２０１ｂを備える。絞り制御部２０１ｂは、カメラ制御回路１１３から出力された駆動制御信号に基づくレンズ制御回路２０４の指令に応じて、絞り２０１ａの動作を制御する。
【００２２】
ブレ補正ユニット２０２は、ブレ補正光学系２０２ａ、ブレ検出部２０２ｂ、およびブレ補正用モータ２０２ｃを備える。ブレ検出部２０２ｂは、たとえば角速度センサ、ジャイロセンサなどで構成され、撮影時にカメラ１００に発生するブレをピッチングとヨーイングに分解して検出する。ブレ検出部２０２ｂで検出されたピッチングとヨーイングを表すブレ量信号は、レンズ制御回路２０４により、レンズ通信部１２５を介してカメラ制御回路１１３に出力される。カメラ制御回路１１３は、入力したブレ量信号に基づいてブレ補正モータ２０２ｃの駆動量を算出し、駆動制御信号をレンズ制御回路２０４へ出力する。
【００２３】
ブレ補正用モータ２０２ｃは、たとえば、コイル、磁石、およびヨークを有するボイスコイルモータである。ブレ補正用モータ２０２ｃは、カメラ制御回路１１３からの駆動制御信号に基づいて、レンズ制御回路２０４により印加される電力に応じて、ブレ補正光学系２０２ａに対する駆動力を発生するアクチュエータである。ブレ補正光学系２０２ａは、光軸に直交する平面上で所定の部材で形成される駆動範囲内を、ブレ補正用モータ２０２ｃの駆動力に応じて移動してブレ補正を行なう。なお、ブレ補正光学系２０２ａは、ブレ補正用モータ２０２ｃが駆動力を発生していない場合は、自身の位置を保持できず重力方向へ落下している。
【００２４】
フォーカスモータ２０３は、カメラ制御回路１１３から出力された駆動制御信号に基づくレンズ制御回路２０４からの指令に応じて、焦点調節レンズ２０３ａを光軸方向に移動させるアクチュエータである。フォーカスモータ２０３は、たとえば超音波モータであり、駆動系としてベルトドライブを採用して、動画撮影時における駆動雑音の発生を抑制し、静寂性を高めている。
【００２５】
−動画撮影−
カメラ制御回路１１３が動画／静止画選択スイッチ１２１から動画撮影を指示する信号を入力して、動画を撮影する際のカメラ１００の動作を説明する。レンズ通信部１２５を介して受信したレンズ情報に含まれるレンズＩＤに基づいて、カメラ制御回路１１３は、レンズマウント１０１に装着された交換レンズ２００の種類を判定する。カメラ１００は、以下の４種類の交換レンズ２００が装着可能である。
１．レンズ制御回路および動画撮影に対応したフォーカスモータを内蔵
２．レンズ制御回路および動画撮影に非対応のフォーカスモータを内蔵
３．レンズ制御回路を内蔵し、フォーカスモータを非内蔵
４．レンズ制御回路およびフォーカスモータを非内蔵
【００２６】
カメラ制御回路１１３が上記１の交換レンズ２００が装着されたと判定すると、この交換レンズ２００を動画撮影対応レンズとして認識する。また、カメラ制御回路１１３が上記２〜４の交換レンズ２００が装着されたと判定すると、交換レンズ２００を動画撮影非対応レンズとして認識する。
【００２７】
（１．レンズ制御回路および動画撮影に対応したフォーカスモータを内蔵）
カメラ制御回路１１３は、交換レンズ２００が動画撮影に対応したフォーカスレンズ２０３を備えると判定すると、各種のアクチュエータに対して、演算結果に基づいた駆動制御信号を出力する。すなわち、図示しないレリーズボタンが半押し操作されて、半押しスイッチ１２２からオン信号を入力すると、カメラ制御回路１１３は、絞りユニット２０１、フォーカスモータ２０３、およびブレ補正ユニット２０２に対する駆動制御信号をレンズ制御回路２０４へ出力する。
【００２８】
カメラ制御回路１１３は、シャッタ１０６を開放して、撮像素子１０５に対して画像データを、たとえば１秒当り３０コマのフレームレートで取得させる。さらに、カメラ制御回路１１３は、内蔵マイク１１１を駆動して、音声データを取得させる。なお、外部マイク端子１２４から接続信号を入力した場合は、カメラ制御回路１１３は、内蔵マイク１１１を駆動せず、外付けマイクにより音声データを取得する。また、カメラ制御回路１１３は、この時に取得した画像データおよび音声データをメモリカード１１８に記録しない。
【００２９】
不図示のレリーズボタンが全押し操作されて、全押しスイッチ１２３からオン信号を入力すると、カメラ制御回路１１３は、動画の記録を開始する。すなわち、カメラ制御回路１１３は、取得した画像データと音声データとに対して圧縮処理を施し、メモリカード１１８に記録する。動画の記録中に、再度、全押しスイッチ１２３からオン信号を入力すると、カメラ制御回路１１３は、画像データおよび音声データのメモリカード１１８への記録を終了する。
【００３０】
（２．レンズ制御回路および動画撮影に非対応のフォーカスモータを内蔵）
交換レンズ２００に設けられたフォーカスモータ２０３が、上述したように動画撮影に対応していない場合について説明する。この場合、フォーカスモータ２０３は、たとえばＤＣモータや、超音波モータであっても駆動系にギア列を有するため、駆動雑音が抑制されていない。
【００３１】
上記の交換レンズ２００が装着された場合、カメラ制御回路１１３は、レンズ通信部１２５を介して受信したレンズＩＤに基づいて、交換レンズ２００が動画撮影に非対応のフォーカスモータ２０３を備えると判定する。カメラ制御回路１１３は、半押しスイッチ１２２からオン信号を入力すると、上述した場合と同様にして、絞りユニット２０１、フォーカスモータ２０３、およびブレ補正ユニット２０２に対する駆動制御信号をレンズ制御回路２０４へ出力する。さらに、カメラ制御回路１１３は、シャッタ１０６を開放して、撮像素子１０５により画像データを取得させるとともに、内蔵マイク１１１を駆動して、音声データを取得させる。
【００３２】
全押しスイッチ１２３からオン信号を入力すると、カメラ制御回路１１３は、絞りユニット２０１、フォーカスモータ２０３およびブレ補正ユニット２０２に対して駆動禁止信号を出力する。駆動禁止信号を入力したフォーカスモータ２０３は駆動を停止するので、焦点調節光学系２０３ａに対する光軸方向への移動を行なわない。この結果、フォーカスモータ２０３の駆動に伴う雑音の発生が抑えられる。なお、この場合、ユーザが図示しない距離環を操作することにより、焦点状態の調節は手動で行われる。
【００３３】
ブレ補正ユニット２０２が駆動禁止信号を入力すると、ブレ補正用モータ２０２ｃはブレ補正光学系２０２ａを駆動範囲の中心付近に保持するように駆動力を発生する。その結果、ブレ補正光学系２０２ａが駆動範囲を形成する部材等と衝突して、雑音を発生することを防ぐことができる。
【００３４】
上述したように、各種のアクチュエータの駆動が禁止されると、カメラ制御回路１１３は、撮像素子１０５を介して取得した画像データと、内蔵マイク１１１で取得した音声データとに対して圧縮処理を施し、メモリカード１１８に記録する。動画の記録中に、再度、全押しスイッチ１２３からオン信号を入力すると、カメラ制御回路１１３は、画像データおよび音声データのメモリカード１１８への記録を終了する。
【００３５】
外部マイク端子１２４から接続信号を入力した場合、カメラ制御回路１１３は、内蔵マイク１１１を駆動しない。さらに、カメラ制御回路１１３は、全押しスイッチ１２３からのオン信号入力後も、上述した各種のアクチュエータに対する駆動禁止信号を出力せず、駆動制御信号の出力を行う。すなわち、外付けマイクで音声を取得する場合は、録音位置がアクチュエータから離れているために、アクチュエータの駆動に伴う雑音は録音されないので、カメラ１００の制御によりアクチュエータの駆動制御を継続する。
【００３６】
（３．レンズ制御回路を内蔵し、フォーカスモータを非内蔵）
装着された交換レンズ２００が、レンズ制御回路２０４は備えるが、フォーカスモータ２０３を備えない場合について説明する。この場合、カメラ１００が備えるフォーカスモータ１２０と焦点調節光学系２０３ａとが機械的に連結するので、カメラ制御回路１１３からの制御によって焦点調節光学系２０３ａを駆動させることができる。
【００３７】
上記の交換レンズ２００が装着された場合、カメラ制御回路１１３は、レンズ通信部１２５を介して受信したレンズＩＤに基づいて、交換レンズ２００がフォーカスモータ２０３を備えないと判定する。カメラ制御回路１１３は、半押しスイッチ１２２からオン信号を入力すると、カメラ１００内のフォーカスモータ１２０に対する駆動制御信号を出力する。また、カメラ制御回路１１３は、絞りユニット２０１およびブレ補正ユニット２０２に対する駆動制御信号をレンズ制御回路２０４へ出力する。そして、カメラ制御回路１１３は、シャッタ１０６を開放して、撮像素子１０５により画像データを取得させるとともに、内蔵マイク１１１を駆動して、音声データを取得させる。
【００３８】
全押しスイッチ１２３からオン信号を入力すると、カメラ制御回路１１３は、フォーカスモータ１２０、絞りユニット２０１およびブレ補正ユニット２０２に対して駆動禁止信号を出力する。駆動禁止信号を入力したフォーカスモータ１２０は駆動を停止するので、焦点調節光学系２０３ａに対する光軸方向への移動を行なわない。この場合、フォーカスモータ１２０は、上述したように静寂性が高められているが、交換レンズ２００の内部の機構が雑音源となり動画撮影に適していない可能性が高い。したがって、カメラ制御回路１１３がフォーカスモータ１２０の駆動を禁止することにより、焦点調節光学系２０３ａの駆動に伴う雑音の発生を抑制できる。なお、この場合、ユーザが図示しない距離環を操作することにより、焦点状態の調節は手動で行われる。
【００３９】
ブレ補正ユニット２０２が駆動禁止信号を入力すると、ブレ補正用モータ２０２ｃは、上述の場合と同様に、ブレ補正光学系２０２ａを駆動範囲の中心付近に保持するように駆動力を発生する。
【００４０】
各種のアクチュエータの駆動が禁止されると、カメラ制御回路１１３は、取得した画像データと音声データとに対して圧縮処理を施し、メモリカード１１８に記録する。再度、全押しスイッチ１２３からオン信号を入力すると、カメラ制御回路１１３は、画像データおよび音声データのメモリカード１１８への記録を終了する。
【００４１】
この場合についても、外部マイク端子１２４から接続信号を入力していれば、カメラ制御回路１１３は、内蔵マイク１１１を駆動しない。さらに、カメラ制御回路１１３は、全押しスイッチ１２３からのオン信号入力後も、上述した各種のアクチュエータに対する駆動禁止信号を出力せず、駆動制御信号の出力を行う。
【００４２】
（４．レンズ制御回路およびフォーカスモータを非内蔵）
装着された交換レンズ２００が、レンズ制御回路２０４およびフォーカスモータ２０３を備えない場合について説明する。この場合、カメラ制御回路１１３は、レンズ通信部１２５を介して交換レンズ２００と情報の送受信が行えない。したがって、カメラ制御回路１１３は、アクチュエータに対する駆動制御信号もしくは駆動禁止信号の出力を行わない。なお、後述する静止画撮影の場合においても、カメラ制御回路１１３は、アクチュエータに対する駆動制御信号もしくは駆動禁止信号の出力を行わない。なお、この場合、ユーザが図示しない距離環を操作することにより、焦点状態の調節は手動で行われる。
【００４３】
カメラ制御回路１１３は、半押しスイッチ１２２からオン信号を入力すると、カメラ制御回路１１３は、内蔵マイク１１１を駆動させて、音声データを取得させる。全押しスイッチ１２３からオン信号を入力すると、カメラ制御回路１１３は、取得した画像データと音声データとに対して圧縮処理を施し、メモリカード１１８に記録する。再度、全押しスイッチ１２３からオン信号を入力すると、カメラ制御回路１１３は、画像データおよび音声データのメモリカード１１８への記録を終了する。
【００４４】
−静止画撮影−
カメラ制御回路１１３が動画／静止画選択スイッチ１２１から静止画撮影を指示する信号を入力して、静止画を撮影する際のカメラ１００の動作を説明する。カメラ制御回路１１３は、レンズ通信部１２５を介しての通信の可否に基づいて、レンズマウント１０１に装着された交換レンズ２００の種類を判定する。
【００４５】
（１．通信が可能な交換レンズ）
レンズ通信部１２５を介して通信が可能な場合、すなわち交換レンズ２００がレンズ制御回路２０４を備える場合、カメラ制御回路１１３は、各種のアクチュエータに対して駆動制御信号を出力する。カメラ制御回路１１３は、測光ユニット１０６から出力された測光信号に基づいて被写体の輝度を算出し、被写体の輝度と撮像感度（ＩＳＯ）に基づいてシャッタ速度と絞り値を演算する。また、カメラ制御回路１１３は、測距ユニット１０７から出力された焦点検出信号に基づいて、デフォーカス量などの焦点調節状態の演算を行う。
【００４６】
半押しスイッチ１２２からオン信号を入力すると、カメラ制御回路１１３は、測距ユニット１０７から出力された焦点検出信号に基づいて、焦点調節光学系２０３ａに対する駆動制御信号を交換レンズ２００もしくはフォーカスモータ１２０へ出力して、焦点状態を調節する。カメラ制御回路１１３は、ブレ検出部２０２ｂで検出されたブレ量信号に基づいてブレ補正モータ２０２ｃの駆動量を算出し、駆動制御信号をレンズ制御回路２０４へ出力して、ブレ補正を行う。
【００４７】
全押しスイッチ１２３からオン信号を入力すると、カメラ制御回路１１３は、算出した絞り値に基づいて、絞りユニット２０１に対して駆動制御信号を出力する。そして、カメラ制御回路１１３は、算出されたシャッタ速度に基づいて撮像素子１０５を露光して画像データを取得する。カメラ制御回路１１３は、取得した画像データに対して上述した画像処理や圧縮処理を施した後、メモリカード１１８に記録する。
【００４８】
（２．通信が不可能な交換レンズ）
レンズ通信部１２５を介して通信が不可能な場合、すなわち交換レンズ２００がレンズ制御回路２０４を備えていない場合、カメラ制御回路１１３は、被写体の輝度や焦点調節状態の算出を行なわず、各種のアクチュエータに対して駆動制御信号を出力しない。この場合、ユーザが図示しない距離環を操作することにより、焦点状態の調節は手動で行われる。
【００４９】
図３〜図６に示すフローチャートを用いて、第１の実施の形態によるカメラ１００の撮影動作における各処理について説明する。図３〜図６の各処理はカメラ制御回路１１３でプログラムを実行して行われる。図３〜図６の各処理を行なうプログラムはメモリ（不図示）に格納されており、図示しない電源スイッチから電源オン信号が入力されると起動される。
【００５０】
ステップＳ１０１において、レンズ通信部１２５を介して交換レンズ２００との通信が確立したか否かを判定する。交換レンズ２００との通信が確立し、レンズ情報を取得した場合は、ステップＳ１０１が肯定判定されてステップＳ１０２へ進む。ステップＳ１０２においては、交換レンズ２００との通信が確立したことを示すフラグｉを１に設定してステップＳ１０４へ進む。
【００５１】
交換レンズ２００との通信が確立されず、レンズ情報を取得できない場合は、ステップＳ１０１が否定判定されてステップＳ１０３へ進む。ステップＳ１０３においては、フラグｉを０に設定してステップＳ１０４へ進む。
【００５２】
ステップＳ１０４においては動画撮影で設定されているか否かを判定する。動画／静止画選択スイッチ１２１から動画撮影を指示する信号を入力した場合は、ステップＳ１０４が肯定判定されてステップＳ１０５へ進む。ステップＳ１０５においては、後述する動画撮影処理を行なってステップＳ１０７へ進む。動画／静止画選択スイッチ１２１から静止画撮影を指示する信号を入力した場合は、ステップＳ１０４が否定判定されてステップＳ１０６へ進む。ステップＳ１０５においては、後述する静止画撮影処理を行ってステップＳ１０７へ進む。ステップＳ１０７においては、電源オフか否かを判定する。図示しない電源スイッチから電源オフを指示する信号を入力した場合は、ステップＳ１０７が肯定判定されて一連の処理を終了する。電源オフを指示する信号を入力しない場合は、ステップＳ１０７が否定判定されてステップＳ１０４へ戻る。
【００５３】
図４のフローチャートを用いて、動画撮影処理を説明する。
ステップＳ２０１においては、図３のステップＳ１０２またはステップＳ１０３で設定したフラグｉが１か否かを判定する。フラグｉが１の場合は、ステップＳ２０１が肯定判定されてステップＳ２０２へ進む。フラグｉが０の場合は、ステップＳ２０１が否定判定されて、後述する図５のステップＳ２３７へ進む。
【００５４】
ステップＳ２０２においては、図１のステップＳ１０１で取得したレンズ情報に基づいて、交換レンズ２００が動画撮影に対応したレンズであるか否かを判定する。交換レンズ２００が動画撮影に対応したレンズの場合は、ステップＳ２０２が肯定判定されてステップＳ２０３へ進む。ステップＳ２０３においては、動画対応のレンズが装着されたことを示すフラグｊを１に設定してステップＳ２０６へ進む。
【００５５】
交換レンズ２００が動画撮影に非対応のレンズの場合は、ステップＳ２０２が否定判定されてステップＳ２０４へ進む。ステップＳ２０４においては、フラグｊを０に設定してステップＳ２０５へ進む。
【００５６】
ステップＳ２０５においては、測距ユニット１０７から出力された焦点検出信号に基づいて、焦点調節状態を演算してステップＳ２０６へ進む。ステップＳ２０６においては、測光ユニット１０６から出力された測光信号に基づいて被写体の輝度を算出してステップＳ２０７へ進む。ステップＳ２０７においては、被写体の輝度と撮像感度（ＩＳＯ）に基づいてシャッタ速度と絞り値を算出してステップＳ２０８へ進む。
【００５７】
ステップＳ２０８においては、ユーザによりレリーズボタンが半押し操作されたか否かを判定する。半押しスイッチ１２２からオン信号を入力すると、ステップＳ２０８が肯定判定されてステップＳ２０９へ進む。半押しスイッチ１２２からオン信号を入力しない場合は、ステップＳ２０８が否定判定されてステップＳ２０５へ戻る。
【００５８】
ステップＳ２０９においては、シャッタ１０３を開放し、撮像素子１０５に対して画像データの取得を開始させてステップＳ２１０へ進む。ステップＳ２１０においては、内蔵マイク１１１もしくは外付けマイクに対して音声データの取得を開始させてステップＳ２１１へ進む。ステップＳ２１１においては、絞りユニット２０１に対して駆動制御信号を出力してステップＳ２１２へ進む。
【００５９】
ステップＳ２１２においては、測距ユニット１０７からの焦点検出信号に基づいて、焦点調節状態を算出し、フォーカスモータ２０３もしくはフォーカスモータ１２０に対して駆動制御信号を出力してステップＳ２１３へ進む。ステップＳ２１３においては、ブレ補正ユニット２０４に対して駆動制御信号を出力してステップＳ２１４へ進む。ステップＳ２１４（測光）およびステップＳ２１５（絞り値、シャッタ速度算出）の各処理は、ステップＳ２０６（測光）およびステップＳ２０７（絞り値、シャッタ速度算出）の各処理と同様の処理を行う。
【００６０】
ステップＳ２１６においては、ユーザによりレリーズボタンが全押し操作されたか否かを判定する。全押しスイッチ１２３からオン信号を入力した場合は、ステップＳ２１６が肯定判定されてステップＳ２１７へ進む。全押しスイッチ１２３からオン信号を入力しない場合は、ステップＳ２１６が否定判定されて後述するステップＳ２３３へ進む。
【００６１】
ステップＳ２１７においては、フラグｊの値が１であるか否かを判定する。フラグｊが１の場合は、ステップＳ２１７が肯定判定されてステップＳ２１９へ進む。フラグｊが０の場合は、ステップＳ２１７が否定判定されて後述するステップＳ２１８へ進む。
【００６２】
ステップＳ２１９においては、撮像素子１０５で取得した画像データをメモリカード１１８に記録してステップＳ２２０へ進む。ステップＳ２２０においては、内蔵マイク１１１もしくは外付けマイクで取得した音声データをメモリカード１１８に記録してステップＳ２２１へ進む。ステップＳ２２１においては、ステップＳ２１６と同様に、レリーズボタンが全押しされたか否かを判定する。全押しスイッチ１２３からオン信号を入力した場合は、ステップＳ２１６が肯定判定されて後述するステップＳ２３３へ進む。全押しスイッチ１２３からオン信号を入力しない場合は、ステップＳ２２１が否定判定されてステップＳ２２２へ進む。
【００６３】
ステップＳ２２２（絞り駆動）からステップＳ２２６（絞り値、シャッタ速度算出）までの各処理は、ステップＳ２１１（絞り駆動）からステップＳ２１５（絞り値、シャッタ速度算出）までの各処理と同様の処理を行う。
【００６４】
ステップＳ２１７でフラグｊが０の場合にはステップＳ２１８に進み、外付けマイクが装着されたか否かを判定する。外部マイク端子１２４から接続信号を入力した場合は、ステップＳ２１７が肯定判定されて、上記のステップＳ２１９へ進む。外部マイク端子１２４から接続信号を入力しない場合は、ステップＳ２１８が否定判定されてステップＳ２２７へ進む。ステップＳ２２７においては、絞りユニット２０１、ブレ補正ユニット２０２およびフォーかモータ２０３に対して駆動禁止信号を出力してステップＳ２２８へ進む。ステップＳ２２８（画像データ記録）およびステップＳ２２９（音声データ記録）の各処理は、ステップＳ２１９（画像データ記録）およびステップＳ２２０（音声データ記録）の各処理と同様の処理を行う。ステップＳ２３０（測光）およびステップＳ２３１（絞り値、シャッタ速度算出）の各処理は、ステップＳ２０６（測光）およびステップＳ２０７（絞り値、シャッタ速度算出）の各処理と同様の処理を行う。
【００６５】
ステップＳ２３２においては、ステップＳ２２１と同様にレリーズボタンの全押し操作の有無を判定する。全押しスイッチ１２３からオン信号を入力した場合はステップＳ２３２が肯定判定されてステップＳ２３３へ進み、オン信号を入力しない場合はステップＳ２２３が否定判定されてステップＳ２２８へ戻る。
【００６６】
ステップＳ２３３においては、ステップ２０８と同様にレリーズボタンが半押し操作されたか否かを判定する。半押しスイッチ１２２からオン信号を入力すると、ステップＳ２３３が肯定判定されてステップＳ２１１へ進む。半押しスイッチ１２２からオン信号を入力しない場合は、ステップＳ２３３が否定判定されてステップＳ２３４へ進む。
【００６７】
ステップＳ２３４においては、撮像素子１０５に対して画像データの取得の停止を指示してステップＳ２３５へ進む。ステップＳ２３５においてはシャッタ１０３を閉鎖してステップＳ２３６へ進む。ステップＳ２３６においては、動画撮影が終了か否かを判定する。動画／静止画選択スイッチ１２１から静止画撮影を指示する信号を入力した場合は、ステップＳ２３６が肯定判定されて、図３のステップＳ１０７へ進む。動画／静止画選択スイッチ１２１から静止画撮影を指示する信号を入力しない場合は、ステップＳ２３６が否定判定されてステップＳ２０５へ戻る。
【００６８】
一方、ステップＳ２０１でフラグｉが０と判定されると、図５のステップＳ２３７へ進む。ステップＳ２３７（半押し判定）からステップＳ２３９（音声データの取得開始）までの各処理は、ステップＳ２０８（半押し判定）からステップＳ２１０（音声データの取得開始）までの各処理と同様の処理を行う。ステップＳ２４０においては、レリーズボタンが全押し操作されたか否かを判定する。全押しスイッチ１２３からオン信号を入力した場合は、ステップＳ２４０が肯定判定されてステップＳ２４１へ進む。全押しスイッチ１２３からオン信号を入力しない場合は、ステップＳ２４０が否定判定されてステップＳ２４４へ進む。
【００６９】
ステップＳ２４１（画像データ記録）からステップＳ２４３（全押し判定）までの各処理は、ステップＳ２１９（画像データ記録）からステップＳ２２１（全押し判定）までの各処理と同様の処理を行う。ステップＳ２４４（半押し判定）からステップＳ２４７（動画撮影の終了判定）までの各処理は、ステップＳ２３３（半押し判定）からステップＳ２３６（動画撮影の終了判定）までの各処理と同様の処理を行う。
【００７０】
図６のフローチャートを用いて、静止画撮影処理を説明する。
ステップＳ３０１においては、図４のステップＳ２０１と同様にフラグｉが１であるか否かを判定する。交換レンズ２００との通信が確立し、フラグｉに１が設定されている場合は、ステップＳ３０１が肯定判定されてステップＳ３０２へ進む。交換レンズ２００との通信が確立せず、フラグｉに０が設定されている場合、ステップＳ３０１が否定判定されて後述するステップＳ３１５へ進む。
【００７１】
ステップＳ３０２（焦点状態検出）からステップＳ３０５（半押し判定）までの各処理は、図４のステップＳ２０５（焦点状態検出）からステップＳ２０８（半押し判定）までの各処理と同様の処理を行う。ステップＳ３０６においては、フォーカスモータ２０３もしくはフォーカスモータ１２０に対して駆動制御信号を出力してステップＳ３０７へ進む。ステップＳ３０７においては、ブレ補正ユニット２０２に対して駆動制御信号を出力してステップＳ３０８へ進む。
【００７２】
ステップＳ３０８においては、レリーズボタンの全押し操作の有無を判定する。全押しスイッチ１２３からオン信号を入力した場合は、ステップＳ３０８が肯定判定されてステップＳ３０９へ進む。ステップＳ３０９では、ステップＳ３０４で算出した絞り値に基づいて、絞りユニット２０１に対して駆動制御信号を出力してステップＳ３１０へ進む。ステップＳ３１０においては、シャッタ１０３の駆動を制御してステップＳ３１１へ進む。
【００７３】
ステップＳ３１１においては、撮像素子１０５により画像データを取得させてステップＳ３１２へ進む。ステップＳ３１２においては、ステップＳ３１１で取得した画像データに対して画像処理および画像圧縮処理を施してステップＳ３１３へ進む。ステップＳ３１３においては、画像データをメモリカード１１８に記録して、静止画撮影処理を終了し図３のステップＳ１０７へ進む。
【００７４】
ステップＳ３０８において全押しスイッチ１２３からオン信号を入力しない場合にはステップＳ３１４に進み、レリーズボタンが半押し操作されているか否かを判定する。半押しスイッチ１２２からオン信号を入力している場合は、ステップＳ３１４が肯定判定されてステップＳ３０６へ戻る。半押しスイッチ１２２からオン信号を入力しない場合は、ステップＳ３１４が否定判定されて、静止画撮影処理を終了し図３のステップＳ１０７へ進む。
【００７５】
一方、ステップＳ３０１でフラグｉが０の場合にはステップＳ３１５に進み、レリーズボタンの半押し操作の有無を判定する。半押しスイッチ１２２からオン信号を入力した場合はステップＳ３１５が肯定判定されてステップＳ３１６へ進む。半押しスイッチ１２２からオン信号を入力しない場合は、ステップＳ３１５が否定判定されて当該判定処理を繰り返す。ステップＳ３１６（全押し判定）およびステップＳ３１７（半押し判定）の各処理は、ステップＳ３０８（全押し判定）およびステップＳ３０９（半押し判定）の各処理とそれぞれ同様の処理を行う。
【００７６】
以上で説明した第１の実施の形態のカメラによれば、以下の作用効果が得られる。
（１）カメラ制御回路１１３は、交換レンズ２００から取得したレンズ情報に基づいて、交換レンズ２００が動画撮影非対応の場合には、動画撮影時における絞りユニット２０１、ブレ補正ユニット２０２、およびフォーカスモータ２０３の駆動を禁止するようにした。その結果、動画撮影時には静寂性の低いアクチュエータの駆動が行われないので、アクチュエータの駆動に伴う雑音の記録を防ぎ、音声データを含む動画データの質を向上できる。
【００７７】
さらに、交換レンズ２００が動画撮影非対応であってもカメラ制御回路１１３は、動画データと音声データの記録を行うので、交換レンズ２００の種類に依存せずに動画撮影が可能となり、ユーザが以前から所有している種々の交換レンズを動画撮影用に活用できる。
【００７８】
（２）レリーズボタンが全押しされ、動画データの記録が指示されるまでは、交換レンズ２００が動画撮影非対応の場合であっても、カメラ制御回路１１３は、絞りユニット２０１、ブレ補正ユニット２０２、およびフォーカスモータ２０３に対して駆動制御信号を出力するようにした。その結果、動画データの記録開始までは焦点調節やブレ補正等が行われ、ユーザは撮影状況を把握することができるので、利便性が向上する。
【００７９】
（３）外付けマイクが接続された場合は、カメラ制御回路１１３は、内蔵マイク１１１の駆動を禁止するようにした。さらに、カメラ制御回路１１３は、交換レンズ２００が動画撮影非対応の場合であっても、カメラ制御回路１１３は、絞りユニット２０１、ブレ補正ユニット２０２、およびフォーカスモータ２０３に対して駆動制御信号を出力するようにした。外付けマイクによる集音位置は、交換レンズ２００内に設けられたアクチュエータから十分離れた位置なので、アクチュエータの駆動による雑音が音声データとして記録されることはない。したがって、外付けマイク接続時には、動画撮影非対応の交換レンズ２００が装着されても、アクチュエータを駆動して、画像データと音声データとを記録できるので、ユーザが以前から所有している種々の交換レンズを動画撮影用に活用できる。
【００８０】
−第２の実施の形態−
図７および図８を参照して、本発明によるカメラの第２の実施の形態を説明する。以下の説明では、第１の実施の形態と同じ構成要素には同じ符号を付して相違点を主に説明する。特に説明しない点については、第１の実施の形態と同じである。本実施の形態では、交換レンズ２００が動画撮影に対応していない場合には、動画データ記録時における内蔵マイク１１１による音声データの取得および記録を行わない点で、第１の実施の形態と異なる。なお、静止画撮影処理、および交換レンズ２００が動画撮影に対応している場合の動画撮影処理については第１の実施の形態のカメラと同様の処理を行う。
【００８１】
動画撮影に非対応の交換レンズ２００がカメラ１００に装着された場合における動画撮影処理について説明する。
（１．交換レンズ２００のフォーカスモータ２０３が動画撮影に非対応、もしくは交換レンズ２００がフォーカスモータ２０３を備えていない場合）
カメラ制御回路１１３は、半押しスイッチ１２２からオン信号を入力すると、第１の実施の形態と同様にして、絞りユニット２０１、フォーカスモータ２０３、およびブレ補正ユニット２０２に対する駆動制御信号を出力する。さらに、カメラ制御回路１１３は、シャッタ１０６を開放して、撮像素子１０５により画像データを取得させるとともに、内蔵マイク１１１を駆動して、音声データを取得させる。なお、外部マイク端子１２４から接続信号を入力した場合、カメラ制御回路１１３は、内蔵マイク１１１を駆動せず、外付けマイクにより音声データを取得する。
【００８２】
全押しスイッチ１２３からオン信号を入力すると、カメラ制御回路１１３は、内蔵マイク１１１の駆動を停止して、音声データの取得を禁止する。このとき、カメラ制御回路１１３は、絞りユニット２０１、フォーカスモータ２０３、およびブレ補正ユニット２０２に対する駆動制御信号の出力は継続する。内蔵マイク１１１の駆動が禁止されると、カメラ制御回路１１３は、撮像素子１０５を介して取得した画像データに対して圧縮処理を施し、メモリカード１１８に記録する。動画の記録中に、再度、全押しスイッチ１２３からオン信号を入力すると、カメラ制御回路１１３は、画像データのメモリカード１１８への記録を終了する。
【００８３】
なお、外付けマイクにより音声データを取得している場合は、カメラ制御回路１１３は、全押しスイッチ１２３からオン信号を入力後であっても、音声データの取得を継続する。すなわち、カメラ制御回路１１３は、撮像素子１０５で取得した画像データと外付けマイクで取得した音声データとをメモリカード１１８に記録する。
【００８４】
（２．交換レンズ２００がレンズ制御回路２０４およびフォーカスモータ２０３を備えない場合）
この場合、カメラ制御回路１１３は、レンズ通信部１２５を介して交換レンズ２００と情報の送受信が行えない。したがって、カメラ制御回路１１３は、アクチュエータに対する駆動制御信号もしくは駆動禁止信号の出力を行わない。
【００８５】
カメラ制御回路１１３は、半押しスイッチ１２２からオン信号を入力すると、カメラ制御回路１１３は、撮像素子１０５により画像データを取得させるとともに、内蔵マイク１１１を駆動させて音声データを取得させる。なお、外部マイク端子１２４から接続信号を入力した場合、カメラ制御回路１１３は、内蔵マイク１１１を駆動せず、外付けマイクにより音声データを取得する。
【００８６】
全押しスイッチ１２３からオン信号を入力すると、カメラ制御回路１１３は、内蔵マイク１１１の駆動を禁止させる。そして、カメラ制御回路１１３は、取得した画像データに対して圧縮処理を施し、メモリカード１１８に記録する。再度、全押しスイッチ１２３からオン信号を入力すると、カメラ制御回路１１３は、画像データのメモリカード１１８への記録を終了する。なお、外付けマイクにより音声データを取得している場合は、上述の場合と同様に、カメラ制御回路１１３は、全押しスイッチ１２３からオン信号を入力後であっても、音声データの取得を継続する。
【００８７】
図７および図８に示すフローチャートを用いて、第２の実施の形態によるカメラ１００の動画撮影動作における各処理について説明する。図７および図８のフローチャートは、第１の実施の形態において説明した、図３に示すフローチャートのステップＳ１０５における動画撮影処理を示すものである。
ステップＳ４０１（フラグｉ判定）からステップＳ４２６（絞り値、シャッタ速度算出）までの各処理は、図４におけるステップＳ２０１（フラグｉ判定）からステップＳ２２６（絞り値、シャッタ速度算出）までの各処理と同様の処理を行う。ステップＳ４２７においては、内蔵マイク１１１の駆動を禁止してステップＳ４２８へ進む。ステップＳ４２８においては、撮像素子１０５で取得した画像データをメモリカード１１８に記録してステップＳ４２９へ進む。
【００８８】
ステップＳ４２９（全押し判定）からステップＳ４３４（絞り値、シャッタ速度算出）までの各処理は、ステップＳ４２１（全押し判定）からステップＳ４２６（絞り値、シャッタ速度算出）までの各処理と同様の処理を行う。ステップＳ４３５（半押し判定）からステップＳ４３８（動画撮影終了判定）までの各処理は、図４におけるステップＳ２３３（半押し判定）からステップＳ２３６（動画撮影終了判定）までの各処理と同様の処理を行う。
【００８９】
一方、ステップＳ４０１でフラグｉが０と判定されると、図８のステップＳ４３９へ進む。ステップＳ４３９（半押し判定）からステップＳ４４２（全押し判定）までの各処理は、図５におけるステップＳ２３７（半押し判定）からステップＳ２４０（全押し判定）までの各処理と同様の処理を行う。
【００９０】
ステップＳ４４３においては、外付けマイクが装着されたか否かを判定する。外部マイク端子１２４から接続信号を入力した場合は、ステップＳ４４３が肯定判定されて、ステップＳ４４４へ進む。外部マイク端子１２４から接続信号を入力しない場合は、ステップＳ４４３が否定判定されてステップＳ４４７へ進む。
【００９１】
ステップＳ４４４（画像データ記録）からステップＳ４４６（全押し判定）までの各処理は、図７のステップＳ４１９（画像データ記録）からステップＳ４２１（全押し判定）までの各処理と同様の処理を行う。ステップＳ４４７（音声データ取得禁止）からステップＳ４４９（全押し判定）までの各処理は、図７のステップ４２７（音声データ取得禁止）からステップＳ４２９（全押し判定）までの各処理と同様の処理を行う。ステップＳ４５０（半押し判定）からステップＳ４５３（動画撮影終了判定）までの各処理は、図７のステップＳ４３５（半押し判定）からステップ４３８（動画撮影終了判定）までの各処理と同様の処理を行う。
【００９２】
以上で説明した第２の実施の形態のカメラによれば、第１の実施の形態のカメラにおいて得られた（３）の作用効果に加えて、以下の作用効果が得られる。
（１）カメラ制御回路１１３は、交換レンズ２００から取得したレンズ情報に基づいて、交換レンズ２００が動画撮影非対応の場合には、動画撮影時における内蔵マイク１１１の駆動を禁止するようにした。その結果、動画撮影時には音声データの記録を行なわないので、アクチュエータの駆動に伴う雑音の記録を防ぐことができる。
【００９３】
（２）レリーズボタンが全押しされ、動画データの記録が指示されるまでは、交換レンズ２００が動画撮影非対応の場合であっても、カメラ制御回路１１３は、内蔵マイク１１１を駆動して、音声データを取得するようにした。その結果、動画データの記録開始までは音声取得が行われ、ユーザは撮影状況を把握することができるので、利便性が向上する。
【００９４】
−第３の実施の形態−
図９を参照して、本発明によるカメラの第３の実施の形態を説明する。以下の説明では、第１の実施の形態と同じ構成要素には同じ符号を付して相違点を主に説明する。特に説明しない点については、第１の実施の形態と同じである。本実施の形態では、交換レンズ２００のレンズＩＤに応じて、動画データ記録時に複数のアクチュエータのうちいずれのアクチュエータを駆動させるかを決定する点で、第１の実施の形態と異なる。
【００９５】
図９に、レンズマウント１０１に装着された交換レンズ２００のレンズ種類（レンズＩＤ）と、動画撮影時において交換レンズ２００内の各種部材を駆動させるアクチュエータの動作の可否とを対応付けたテーブルＴの一例を示す。このテーブルＴは、交換レンズ２００のレンズＩＤに対して、カメラ制御回路１１３が動画データ記録時に駆動制御信号を出力するアクチュエータを「○」で示し、駆動禁止信号を出力するアクチュエータを「×」で示す。「○」が付与されたアクチュエータは、駆動に伴う雑音が動画撮影に悪影響を与えず、静寂性が高いことを示す。「×」が付与されたアクチュエータは、駆動に伴う雑音が動画撮影に悪影響を与え、静寂性が低いことを示している。なお、このテーブルＴは、あらかじめＲＯＭ１１５に格納されている。
【００９６】
レンズ通信部１２５を介して取得したレンズ情報に含まれるレンズＩＤが１の場合、カメラ制御回路１１３は、テーブルＴを参照して、動画データ記録時に駆動制御信号を出力するアクチュエータを決定する。すなわち、カメラ制御回路１１３は、テーブルＴにおいてレンズＩＤが１の欄に「○」が示されている、絞りユニット２０１、ブレ補正ユニット２０２、およびフォーカスモータ２０３に対して、動画撮影時に駆動制御信号を出力する。この結果、絞りユニット２０１、ブレ補正ユニット２０２、およびフォーカスモータ２０３は静寂性が高いので、カメラ制御回路１１３は、動画撮影時においても、上記三種のアクチュエータを駆動させる。
【００９７】
レンズＩＤが２の場合、カメラ制御回路１１３は、テーブルＴを参照して、レンズＩＤが２の欄に「○」が示されたフォーカスモータ２０３に対して、動画撮影時に駆動制御信号を出力する。また、テーブルＴのレンズＩＤが２の欄に「×」が示された絞りユニット２０１およびブレ補正ユニット２０２に対して、カメラ制御回路１１３は動画撮影時に駆動禁止信号を出力する。この結果、カメラ制御回路１１３は、動画撮影時には静寂性の高いアクチュエータを駆動し、静寂性の低いアクチュエータの駆動を禁止するので、動画撮影時に雑音が音声データとして記録されることを防げる。
【００９８】
なお、外部マイク端子１２４から接続信号を入力した場合、カメラ制御回路１１３は、内蔵マイク１１１を駆動せず、外付けマイクにより音声データを取得する。外付けマイクにより音声データを取得する場合、カメラ制御回路１１３は、全押しスイッチ１２３からオン信号を入力後であっても、テーブルＴに「×」が示されたアクチュエータに対し駆動制御信号を出力する。すなわち、カメラ制御回路１１３は、撮像素子１０５で取得した画像データと外付けマイクで取得した音声データとをメモリカード１１８に記録する。
【００９９】
以上で説明した第３の実施の形態のカメラによれば、第１の実施の形態のカメラで得られた（３）の作用効果に加えて、以下の作用効果が得られる。
交換レンズ２００のレンズ種類に応じて、カメラ制御回路１１３は、動画データ記録時に、同一の交換レンズ２００に設けられたアクチュエータに対して、静寂性の高低に応じて駆動を制御するようにした。すなわち、カメラ制御回路１１３は、ブレ補正ユニット２０２の静寂性が低い場合には駆動禁止信号を出力し、フォーカスモータ２０３の静寂性が高い場合には駆動制御信号を出力する。その結果、動画撮影時におけるアクチュエータの駆動に伴う雑音が録音されることを抑制するとともに、静寂性の高いアクチュエータについては駆動させることができるので、撮影時における利便性を維持することができる。
【０１００】
交換レンズ２００が備えるアクチュエータは絞りユニット２０１、ブレ補正ユニット２０２、およびフォーカスモータ２０３に限定されない。たとえば、光学系としてズームレンズを備える交換レンズ２００をカメラ１００に装着してもよい。この場合、カメラ制御回路１１３は、レンズ情報に基づいて、ズームレンズを駆動するためのアクチュエータであるズームモータに対しても駆動制御信号もしくは駆動禁止信号を出力すればよい。
【０１０１】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【０１０２】
【図１】本発明の実施の形態におけるカメラの要部構成図である。
【図２】実施の形態のカメラにおける制御系の構成を示すブロック図である。
【図３】第１の実施の形態におけるカメラの動作を説明するフローチャートである。
【図４】第１の実施の形態におけるカメラの動画撮影処理を説明するフローチャートである。
【図５】第１の実施の形態におけるカメラの動画撮影処理を説明するフローチャートである。
【図６】第１の実施の形態におけるカメラの静止画撮影処理を説明するフローチャートである。
【図７】第２の実施の形態におけるカメラの動画撮影処理を説明するフローチャートである。
【図８】第２の実施の形態におけるカメラの動画撮影処理を説明するフローチャートである。
【図９】レンズ種類と、動画撮影時に駆動させるアクチュエータの動作の可否とを対応付けたテーブルの一例を示す図である。
【符号の説明】
【０１０３】
１０５・・・撮像素子  １１１・・・内蔵マイク  １１３・・・カメラ制御回路
１２５・・・レンズ通信部  ２００・・・交換レンズ  ２０１・・・絞りユニット
２０２・・・ブレ補正ユニット  ２０３・・・フォーカスモータ
【図１】
0004983442.tif 000002
【図２】
0004983442.tif 000003
【図３】
0004983442.tif 000004
【図４】
0004983442.tif 000005
【図５】
0004983442.tif 000006
【図６】
0004983442.tif 000007
【図７】
0004983442.tif 000008
【図８】
0004983442.tif 000009
【図９】
0004983442.tif 000010